(57)【要約】 【課題】  本発明はシャンプーやリンス等の比較的粘度の高い液体を収容した場合であっても、前記液体を最後まで容易に排出すことができるポンプ式の液体排出容器を提供することを目的とする。【解決手段】  有底筒状の胴部を有し前記液体を収容することができる容器本体１と、前記容器本体の上部開口部１ｂに着脱自在に取り付けられた蓋体２と、前記蓋体２に取り付けられた排出用ポンプ機構３と、前記排出用ポンプ機構３に接続された前記容器本体１の底部中央部に臨ませるチューブ４とを備えたポンプ式の液体排出容器であり、前記胴部内周面１ｅと前記チューブ外周面４ａの横断面形状は鉛直方向において一定であり、収容されている前記液体より上部に位置する前記胴部内周面１ｅと前記チューブ外周面４ａに、接した状態を維持しつつ前記液体の残量に合わせて鉛直方向に下降し得る、取り外し可能な可動体５を備えた構成。【選択図】  図１
2012051619.tif 000002
【特許請求の範囲】
【請求項１】
有底筒状の胴部を有し液体を収容することができる容器本体と、前記容器本体の上部開口部に着脱自在に取り付けられた蓋体と、前記蓋体に取り付けられた排出用ポンプ機構と、前記排出用ポンプ機構に接続された前記容器本体の底部中央部に臨ませるチューブとを備えたポンプ式の液体排出容器であり、前記胴部内周面と前記チューブ外周面の横断面形状は鉛直方向において一定であり、収容されている前記液体より上部に位置する前記胴部内周面と前記チューブ外周面に、接した状態を維持しつつ前記液体の残量に合わせて鉛直方向に下降し得る、取り外し可能な可動体を備えた構造のポンプ式の液体排出容器。
【請求項２】
前記排出用ポンプ機構は外部から流動性物質を内部に導入せずに、内部の流動性物質を外部に排出できるものであり、前記容器本体の内部で、前記可動体と前記容器本体底部の間にあたる前記液体収容部は気密状態であり、前記可動体は気密状態を維持したまま、前記排出用ポンプ機構からの液体の排出に伴い鉛直方向に下降し得る。また前記可動体より上部の前記容器本体には大気と通じている通気口を有した請求項１に記載のポンプ式の液体排出容器。  
【請求項３】
前記容器本体の内底部は、下方中央に傾斜した傾斜面を有し、前記チューブの排出口と臨ませる前記底部中央部に円柱型の収集孔を有した請求項１、請求項２に記載のポンプ式の液体排出容器。
【請求項４】
前記容器本体の底部に、下方中央に傾斜した傾斜面を有し、前記チューブの排出口と臨ませる前記底部中央部に円柱型の収集孔を有した、着脱可能なロート型内底部を備えた請求項１、請求項２に記載のポンプ式の液体排出容器。
【請求項５】
前記可動体の下面を、前記内底部、又は、前記ロート型内底部の傾斜角に同じく下方中央に傾斜させた請求項１乃至４に記載のポンプ式の液体排出容器。
【請求項６】
前記容器本体は、外部から内部が見える可視部分を有し、そこに目盛りを設け、前記可動体の外周面を塗装した請求項１乃至５に記載のポンプ式の液体排出容器。
【請求項７】
前記容器本体は、外部から内部が見える可視部分を有し、前記容器本体の内部で、前記可動体より上部に加え、前記容器本体の底部と前記ロート型内底部の間に、色々な装飾品を有した請求項１乃至６に記載の液体排出容器。
【発明の詳細な説明】
【技術分野】
【０００１】
本発明はシャンプーやリンス等に使用されるポンプ式の液体排出容器に関するものである。          
【背景技術】
【０００２】
従来のポンプ式の液体排出容器としては特開２００６−２６４７８４号公報に記載されたものがある。（特許文献１参照）
【先行技術文献】
【特許文献】
【０００３】
【特許文献１】特開２００６−２６４７８４号公報  前記特許文献１に記載されているポンプ式の液体排出容器は、容器本体の底部を下方中央に傾斜させ、チューブと臨ませる前記底部の中央部に円柱型の収集孔を有したものである。
【発明の概要】
【発明が解決しようとする課題】
【０００４】
しかしながら、シャンプーやリンス等のように比較的粘度の高い液体である場合、使用過程で、容器本体の胴部内周面とチューブ外周面へ付着し、それを残したまま減少する。前記特許文献１に記載されているポンプ式の液体排出容器のように容器本体の底部を下方中央に傾斜させ、チューブと臨ませる前記底部の中央部に円柱型の収集孔を有したとしても、前記胴部内周面と前記チューブ外周面への付着はそのまま残ってしまう為、前記液体を最後まで排出すことは困難である。
【課題を解決するための手段】
【０００５】
請求項１に記載のポンプ式の液体排出容器は、有底筒状の胴部を有し液体を収容することができる容器本体と、前記容器本体の上部開口部に着脱自在に取り付けられた蓋体と、前記蓋体に取り付けられた排出用ポンプ機構と、前記排出用ポンプ機構に接続された前記容器本体の底部中央部に臨ませるチューブとを備えたポンプ式の液体排出容器であり、前記胴部内周面と前記チューブ外周面の横断面形状は鉛直方向において一定であり、収容されている前記液体より上部に位置する前記胴部内周面と前記チューブ外周面に、接した状態を維持しつつ前記液体の残量に合わせて鉛直方向に下降し得る、取り外し可能な可動体を備えた構造である。
【０００６】
請求項２に記載のポンプ式の液体排出容器は、前記排出用ポンプ機構は外部から流動性物質を内部に導入せずに、内部の流動性物質を外部に排出できるものであり、前記容器本体の内部で、前記可動体と前記容器本体底部の間にあたる前記液体収容部は気密状態にあり、前記可動体は気密状態を維持したまま、前記排出用ポンプ機構からの液体の排出に伴い鉛直方向に下降し得る。また前記可動体より上部の前記容器本体には大気と通じている通気口を有している。
【０００７】
請求項３に記載のポンプ式の液体排出容器は、前記容器本体の内底部は、下方中央に傾斜した傾斜面を有し、前記チューブの排出口と臨ませる前記底部中央部に円柱型の収集孔を有している。
【０００８】
請求項４に記載のポンプ式の液体排出容器は、前記容器本体の底部に、下方中央に傾斜した傾斜面を有し、前記チューブの排出口と臨ませる前記底部中央部に円柱型の収集孔を有した、着脱可能なロート型内底部を備えている。
【０００９】
請求項５に記載のポンプ式の液体排出容器は、前記可動体の下面を、前記内底部、又は、前記ロート型内底部の傾斜角に同じく下方中央に傾斜させている。
【００１０】
請求項６に記載のポンプ式の液体排出容器は、前記容器本体は、外部から内部が見える可視部分を有し、そこに目盛りを設け、前記可動体の外周面を塗装している。
【００１１】
請求項７に記載のポンプ式の液体排出容器は、前記容器本体は、外部から内部が見える可視部分を有し、前記容器本体の内部で、前記可動体より上部に加え、前記容器本体の底部と前記ロート型内底部の間に、色々な装飾品を有している。
【発明の効果】
【００１２】
請求項１に記載のポンプ式の液体排出容器は、前記胴部内周面と前記チューブ外周面の横断面形状は鉛直方向において一定であり、収容されている前記液体より上部に位置する前記胴部内周面と前記チューブ外周面に、接した状態を維持しつつ前記液体の残量に合わせて鉛直方向に下降し得る、取り外し可能な可動体を備えた構造である。
【００１３】
収容されている前記液体が、シャンプーやリンス等のように比較的粘度の高い場合、使用過程で前記液体が減少することに伴い、前記胴部内周面と前記チューブ外周面への付着は残るが、前記可動体が重力により鉛直方向に下降することで、前記胴部内周面と前記チューブ外周面への付着を削ぎ落とすことができる。その結果、前記容器本体の底部へ前記液体を収集することができる。
【００１４】
請求項２に記載のポンプ式の液体排出容器は、前記排出用ポンプ機構は外部から流動性物質を内部に導入せずに、内部の流動性物質を外部に排出できるものであり、前記容器本体の内部で、前記可動体と前記容器本体底部の間にあたる前記液体収容部は気密状態であり、前記可動体は気密状態を維持したまま、前記排出用ポンプ機構からの液体の排出に伴い鉛直方向に下降し得る。また前記可動体より上部の前記容器本体には大気と通じている通気口を有している。
【００１５】
前記液体収容部が気密状態であることで、前記可動体は、例えば質量が低い合成樹脂を射出成形して形成しても前記排出用ポンプ機構からの液体の排出に伴い鉛直方向に下降し得、前記胴部内周面と前記チューブ外周面への付着を削ぎ落とすことができる。その結果、前記容器本体の底部へ前記液体を収集することができる。
【００１６】
請求項３に記載のポンプ式の液体排出容器は、前記容器本体の内底部は、下方中央に傾斜した傾斜面を有し、前記チューブの排出口と臨ませる前記底部中央部に円柱型の収集孔を有している。
【００１７】
前記液体は前記底部中央部に臨ませた前記チューブの排出口より吸い出される為、前記液体が使用過程で減少し残り僅かになった時、前記チューブの排出口より離れている前記底部に溜まった前記液体は、排出することができずに残留してしまう。しかし、前記内底部を備えることで、前記液体が使用過程で残り僅かになった時、前記液体は前記内底部の傾斜面を流れ中央部の前記収集孔に収集することができる。その結果、そこに臨ませた前記チューブにより容易に排出することができる。
【００１８】
請求項４に記載のポンプ式の液体排出容器は、前記容器本体の底部に、下方中央に傾斜した傾斜面を有し、前記チューブの排出口と臨ませる前記底部中央部に円柱型の収集孔を有した、着脱可能なロート型内底部を備えている。
【００１９】
前記液体は前記底部中央部に臨ませた前記チューブの排出口より吸い出される為、前記液体が使用過程で減少し残り僅かになった時、前記チューブの排出口より離れている前記底部に溜まった前記液体は、排出することができずに残留してしまう。しかし、前記ロート型内底部を備えることで、前記液体が使用過程で残り僅かになった時、前記液体は前記ロート型内底部の傾斜面を流れ中央部の前記収集孔に収集することができる。その結果、そこに臨ませた前記チューブにより容易に排出することができる。
【００２０】
請求項５に記載のポンプ式の液体排出容器は、前記可動体の下面を、前記内底部、又は、前記ロート型内底部の傾斜角に同じく下方中央に傾斜させている。
【００２１】
前記液体が、シャンプーやリンス等のように比較的粘度の高い場合、使用過程で前記内底部、又は、前記ロート型内底部の傾斜面への付着は残るが、前記可動体の下面を、前記内底部、又は、前記ロート型内底部の傾斜角に同じく下方中央に傾斜させることで、使用過程で減少し残り僅かになった時に、前記可動体は前記液体を下方中央へ押し出しながら、前記内底部、又は、前記ロート型内底部に密着する。その結果、前記収集孔にすべての前記液体を収集することができる。
【００２２】
請求項６に記載のポンプ式の液体排出容器は、前記容器本体は、外部から内部が見える可視部分を有し、そこに目盛りを設け、前記可動体の外周面を塗装している。
【００２３】
前記容器本体に、外部から内部が見える可視部分を設け、前記可動体の外周面を塗装することで、使用過程で下降する前記可動体の位置が視覚的に捉えられる。そして、そこに設けられた目盛りにより前記液体の残量を把握することができる。
【００２４】
請求項７に記載のポンプ式の液体排出容器は、前記容器本体は、外部から内部が見える可視部分を有し、前記容器本体の内部で、前記可動体より上部に加え、前記容器本体の底部と前記ロート型内底部の間に、色々な装飾品を有している。
【００２５】
前記容器本体の内部で、前記可動体より上部に加え、前記容器本体の底部と前記ロート型内底部の間には、前記液体は収容されていない。前記可動体は使用過程で下降するが、前記胴部内周面と前記チューブ外周面に付着した前記液体を削ぎ落としながら下降する為、前記可動体の位置にかかわらず、前記可動体より上部には前記液体は浸入しない。その結果、色々な装飾品を飾り視覚的に楽しむ空間を提供することができる。
【図面の簡単な説明】
【００２６】
【図１】本発明のポンプ式の液体排出容器の側面図要部断面図である。
【図２】同じく実施例１のポンプ式の液体排出容器の側面図要部断面図である。
【図３】同じく可動体の断面図である。
【図４】同じくロート型内底部の断面図である。
【図５】同じく排出用ポンプ機構とチューブの側面図である。
【図６】同じく容器本体の側面図である。
【図７】同じく蓋体とロート型内底部を取り外した状態であって図２に示す容器本体  の平面図である。
【発明を実施するための形態】
【００２７】
本発明の実施の形態を、図面を参照しつつ説明する。
【実施例１】
【００２８】
図２は本発明の実施の形態の一例としての側面図要部断面図である。
【００２９】
図２において、１は有底筒状の胴部を有し液体を収容することができる容器本体で、外部から内部が見える可視部分を有し、前記胴部内周面１ｅは円滑面にする。前記容器本体１は、例えば合成樹脂を射出成形して形成されるもので、図６及び図７に示すように、筒状の胴部１ａと、前記胴部１ａ上方に形成された上部開口部１ｂと、前記胴部１ａの下端に形成された底部１ｃと、前記底部１ｃの中央部に突設した栓部１ｄからなる。２は前記容器本体１の上部開口部に着脱自在に取り付けられた蓋体である。３は前記蓋体２に取り付けられた手動式の排出用ポンプ機構で、詳図していないが、内部にボール弁（図示せず）を有する。前記排出用ポンプ機構３は、弁室３ａと昇降パイプ３ｂと排出部３ｃからなる。４は前記排出用ポンプ機構３に接続された前記容器本体１の底部中央部に臨ませるチューブである。
【００３０】
５は取り外し可能な可動体で、前記胴部内周面１ｅと前記チューブ外周面４ａの横断面形状が鉛直方向において一定であり、収容されている前記液体より上部に位置する前記胴部内周面１ｅと前記チューブ外周面４ａに、接した状態を維持しつつ前記液体の残量に合わせて重力により鉛直方向に下降し得る。その為に、可動体５は、例えば質量が高く錆びにくいステンレス製の金属物質で形成されたものであり、図２及び図３に示すように、上面５ａと傾斜した下面５ｂと外周面５ｃと内周面５ｄと前記上面５ａの中央上部に形成された把手５ｅからなる。下面５ｂは、ロート型内底部６の傾斜角に同じく下方中央に傾斜させている。内周面５ｄにはパッキン９を嵌合し、前記チューブ外周面４ａとの摩擦を最小限にするために接面のパッキン９は薄くする。
【００３１】
６は着脱可能なロート型内底部で、前記容器本体の底部に、下方中央に傾斜した傾斜面を有し、前記チューブの排出口と臨ませる前記底部中央部に円柱型の収集孔を有している。前記ロート型内底部６は例えば合成樹脂を射出成形して形成されるものであり、図２及び図４に示すように、傾斜面６ａと下端６ｂからなる。前記下端６ｂは底部が解放されており、前記容器本体１の底部中央部に突設した栓部１ｄが前記下端６ｂの内周に嵌合することによって、円柱型の収集孔８を形成している。
【００３２】
図示していないが、前記容器本体１は、外部から内部が見える可視部分を有し、そこに前記液体の残量の把握できる目盛りを設け、前記可動体５の外周面５ｃを塗装する。
【００３３】
７は前記容器本体１の内部で、前記可動体５より上部に加え、前記容器本体１の底部１ｃと前記ロート型内底部６の間に飾られた装飾品である。装飾品７としては、天然石、デコレーションアクセサリー、ビー玉など、好みに合わせた物を飾ることができ、視覚的に楽しむことができる。図示していないが、前記容器本体１の前記胴部１ａは外部から内部が見える可視部分を有し、可視部分の大きさ、形により楽しみ方は様々である。
【実施例２】
【００３４】
図示していないが、前記容器本体１の内部で、前記可動体５と前記ロート型内底部６の間の液体収容部が気密状態であることで、前記可動体５は、例えば質量が低い合成樹脂を射出成形して形成しても前記排出用ポンプ機構３からの液体の排出に伴い鉛直方向に下降し得る。前記可動体５の内周面５ｄにはパッキン９を嵌合し、気密になされている。前記チューブ外周面４ａとの摩擦を最小限にするために接面のパッキン９は薄くする。また、前記可動体より上部の前記容器本体には大気と通じている通気口を有している。
【実施例３】
【００３５】
図示していないが、前記胴部内周面１ｅと前記チューブ外周面４ａの横断面形状が鉛直方向において一定であり、前記胴部内周面１ｅの横断面形状に合わせて前記可動体５と前記ロート型内底部６を形成することで、前記胴部内周面１ｅの横断面形状は円筒状に限らず、例えば三角や四角などの、多角形状であってもよい。
【００３６】
図示していないが、前記可動体５の可動部は、前記胴部内周面１ｅと前記チューブ外周面４ａの横断面形状が鉛直方向において一定である必要があるが、前記可動体５の可動最上部より上部、又は前記ロート型内底部６の傾斜面６ａの最上部より下部は形状に制限はない。
【産業上の利用可能性】
【００３７】
本発明は、シャンプーやリンス等の詰め替え容器として利用することができる。
【符号の説明】
【００３８】
１    容器本体
１ａ  胴部
１ｂ  上部開口部
１ｃ  底部
１ｄ  栓部
１ｅ  胴部内周面
２    蓋体
３    排出用ポンプ機構
３ａ  弁室
３ｂ  昇降パイプ
３ｃ  排出部
４    チューブ
４ａ  チューブ外周面
５    可動体
５ａ  上面
５ｂ  下面
５ｃ  外周面
５ｄ  内周面
５ｅ  把手
６    ロート型内底部
６ａ  傾斜面
６ｂ  下端
７    装飾品
８    収集孔
９    パッキン
【図１】
2012051619.tif 000003
【図２】
2012051619.tif 000004
【図３】
2012051619.tif 000005
【図４】
2012051619.tif 000006
【図５】
2012051619.tif 000007
【図６】
2012051619.tif 000008
【図７】
2012051619.tif 000009
【手続補正書】
【提出日】平成23年2月28日(2011.2.28)
【手続補正１】
【補正対象書類名】明細書
【補正対象項目名】全文
【補正方法】変更
【補正の内容】
【発明の詳細な説明】
【技術分野】
【０００１】
本発明はシャンプーやリンス等に使用されるポンプ式の液体排出容器に関するものである。          
【背景技術】
【０００２】
従来のポンプ式の液体排出容器としては特開２００６−２６４７８４号公報に記載されたものがある。（特許文献１参照）
【先行技術文献】
【特許文献】
【０００３】
【特許文献１】特開２００６−２６４７８４号公報    前記特許文献１に記載されているポンプ式の液体排出容器は、容器本体の底部を下方中央に傾斜させ、チューブと臨ませる前記底部の中央部に円柱型の収集孔を有したものである。
【発明の概要】
【発明が解決しようとする課題】
【０００４】
しかしながら、シャンプーやリンス等のように比較的粘度の高い液体である場合、使用過程で、容器本体の胴部内周面とチューブ外周面へ付着し、それを残したまま減少する。前記特許文献１に記載されているポンプ式の液体排出容器のように容器本体の底部を下方中央に傾斜させ、チューブと臨ませる前記底部の中央部に円柱型の収集孔を有したとしても、前記胴部内周面と前記チューブ外周面への付着はそのまま残ってしまう為、前記液体を最後まで排出すことは困難である。
【課題を解決するための手段】
【０００５】
請求項１に記載のポンプ式の液体排出容器は、有底筒状の胴部を有し液体を収容することができる容器本体と、前記容器本体の上部開口部に着脱自在に取り付けられた蓋体と、前記蓋体に取り付けられ外部から流動性物質を内部に導入せずに、内部の流動性物質を外部に排出できる排出用ポンプ機構と、前記排出用ポンプ機構に接続された前記容器本体の底部中央部に臨ませるチューブとを備えたポンプ式の液体排出容器であり、前記容器本体の底部の内側には、下方中央に傾斜した傾斜面を有し、前記チューブの排出口と臨ませる前記底部中央部に円柱型の収集孔を有した着脱自在なロート型内底部を備え、前記胴部内周面と前記チューブ外周面の横断面形状は鉛直方向において一定であり、収容されている前記液体より上部に位置する前記胴部内周面と前記チューブ外周面に接し、気密状態を維持しつつ前記液体の残量に合わせて鉛直方向に下降し得る、取り外し可能な可動体を備え、前記可動体より上部の前記容器本体には大気と通じている通気口を有した構造である。
【０００６】
請求項２に記載のポンプ式の液体排出容器は、前記可動体の下面を、前記ロート型内底部の傾斜角に同じく下方中央に傾斜させた構造である。
【発明の効果】
【０００７】
請求項１に記載のポンプ式の液体排出容器は、外部から流動性物質を内部に導入せずに、内部の流動性物質を外部に排出できる排出用ポンプ機構を備えたものであって、容器本体の底部の内側には、下方中央に傾斜した傾斜面を有し、前記排出用ポンプ機構に接続されたチューブの排出口と臨ませる前記底部中央部に円柱型の収集孔を有した着脱自在なロート型内底部を備え、前記胴部内周面と前記チューブ外周面の横断面形状は鉛直方向において一定であり、収容されている前記液体より上部に位置する前記胴部内周面と前記チューブ外周面に接し、気密状態を維持しつつ前記液体の残量に合わせて鉛直方向に下降し得る、取り外し可能な可動体を備え、前記可動体より上部の前記容器本体には大気と通じている通気口を有した構造のものであるから、このような構造により、前記容器本体内に収容されている液体が、シャンプーやリンス等のように比較的粘度の高い場合、使用過程で前記液体が減少することに伴い、前記胴部内周面と前記チューブ外周面への付着はそのまま残るが、前記可動体が前記排出用ポンプ機構からの液体の排出に伴い鉛直方向に下降することで、前記胴部内周面と前記チューブ外周面への付着を削ぎ落とすことができる。その結果、前記容器本体の底部へ前記液体を収集することができる。
【０００８】
そして、前記液体は前記底部中央部に臨ませた前記チューブの排出口より吸い出される為、前記液体が使用過程で減少し残り僅かになった時、前記チューブの排出口より離れている前記底部に溜まった前記液体は、排出することができずに残留してしまう。しかし、前記ロート型内底部を備えることで、前記液体が使用過程で残り僅かになった時、前記液体は前記ロート型内底部の傾斜面を流れ中央部の前記収集孔に収集することができる。その結果、そこに臨ませた前記チューブにより容易に排出することができる。
【０００９】
請求項２に記載のポンプ式の液体排出容器は、前記可動体の下面を、前記ロート型内底部の傾斜角に同じく下方中央に傾斜させた構造であり、前記液体が、シャンプーやリンス等のように比較的粘度の高い場合、使用過程で前記ロート型内底部の傾斜面へ付着し、それをそのまま残してしまうが、前記可動体の下面を、前記ロート型内底部の傾斜角に同じく下方中央に傾斜させることで、使用過程で減少し残り僅かになった時に、前記可動体は前記ロート型内底部の傾斜面に付着した前記液体を下方中央へ押し出しながら、前記ロート型内底部に密着する。その結果、前記収集孔にすべての前記液体を収集することができる。
【図面の簡単な説明】
【００１０】
【図１】本発明のポンプ式の液体排出容器の側面図要部断面図である。
【図２】同じく実施例１のポンプ式の液体排出容器の側面図要部断面図である。
【図３】同じく可動体の断面図である。
【図４】同じくロート型内底部の断面図である。
【図５】同じく排出用ポンプ機構とチューブの側面図である。
【図６】同じく容器本体の側面図である。
【図７】同じく蓋体とロート型内底部を取り外した状態であって図２に示す容器本体の平面図である。
【発明を実施するための形態】
【００１１】
本発明の実施の形態を、図面を参照しつつ説明する。
【実施例１】
【００１２】
図２は本発明の実施の形態の一例としての側面図要部断面図である。
【００１３】
図２において、１は有底筒状の胴部を有し液体を収容することができる容器本体で、前記胴部内周面１ｅは円滑面にする。前記容器本体１は、例えば合成樹脂を射出成形して形成されるもので、図６及び図７に示すように、筒状の胴部１ａと、前記胴部１ａ上方に形成された上部開口部１ｂと、前記胴部１ａの下端に形成された底部１ｃと、前記底部１ｃの中央部に突設した栓部１ｄからなる。２は前記容器本体１の上部開口部に着脱自在に取り付けられた蓋体である。３は前記蓋体２に取り付けられた手動式の排出用ポンプ機構で、詳図していないが、内部にボール弁（図示せず）を有する。前記排出用ポンプ機構３は、外部から流動性物質を内部に導入せずに、内部の流動性物質を外部に排出できるものであって、弁室３ａと昇降パイプ３ｂと排出部３ｃからなる。４は前記排出用ポンプ機構３に接続された前記容器本体１の底部中央部に臨ませるチューブである。
【００１４】
５は取り外し可能な可動体で、前記胴部内周面１ｅと前記チューブ外周面４ａの横断面形状が鉛直方向において一定であり、収容されている前記液体より上部に位置する前記胴部内周面１ｅと前記チューブ外周面４ａに接し、気密状態を維持しつつ前記液体の排出に伴い鉛直方向に下降し得る。その為に、可動体５は、例えば質量が高く錆びにくいステンレス製の金属物質で形成されたものであり、図２及び図３に示すように、上面５ａと傾斜した下面５ｂと外周面５ｃと内周面５ｄと前記上面５ａの中央上部に形成された把手５ｅからなる。下面５ｂは、ロート型内底部６の傾斜角に同じく下方中央に傾斜しており、可動体５が最下降した時に前記ロート型内底部６に密着する構造である。内周面５ｄにはパッキン９を嵌合し、前記チューブ外周面４ａとの摩擦を最小限にするために接面のパッキン９は薄くする。また、図示していないが前記可動体５より上部の前記容器本体１には大気と通じている通気口を有している。
【００１５】
６は着脱可能なロート型内底部で、前記容器本体１の底部に、下方中央に傾斜した傾斜面を有し、前記チューブ４の排出口と臨ませる前記底部中央部に円柱型の収集孔を有している。前記ロート型内底部６は例えば合成樹脂を射出成形して形成されるものであり、図２及び図４に示すように、傾斜面６ａと下端６ｂからなる。前記下端６ｂは底部が開放されており、前記容器本体１の底部中央部に突設した栓部１ｄが前記下端６ｂの内周に嵌合することによって、円柱型の収集孔８を形成している。
【実施例２】
【００１６】
図示していないが、前記胴部内周面１ｅと前記チューブ外周面４ａの横断面形状が鉛直方向において一定であり、前記胴部内周面１ｅの横断面形状に合わせて前記可動体５と前記ロート型内底部６を形成することで、前記胴部内周面１ｅの横断面形状は円筒状に限らず、例えば三角や四角などの、多角形状であってもよい。
【００１７】
図示していないが、前記容器本体１に、外部から内部が見える可視部分を設け、そこに目盛りを設け、前記可動体５の外周面５ｃを塗装することで前記液体の残量を視覚的に捉えることができる。
【００１８】
７は前記容器本体１の内部で、前記可動体５より上部に加え、前記容器本体１の底部１ｃと前記ロート型内底部６の間に飾られた装飾品である。装飾品７としては、天然石、デコレーションアクセサリー、ビー玉など、好みに合わせた物を飾ることができ、視覚的に楽しむことができる。図示していないが、前記容器本体１の前記胴部１ａは外部から内部が見える可視部分を有し、可視部分の大きさ、形により楽しみ方は様々である。
【００１９】
図示していないが、前記可動体５の可動部は、前記胴部内周面１ｅと前記チューブ外周面４ａの横断面形状が鉛直方向において一定である必要があるが、前記可動体５の可動最上部より上部、又は前記ロート型内底部６の傾斜面６ａの最上部より下部は前記容器本体１の形状に制限はない。
【産業上の利用可能性】
【００２０】
本発明は、シャンプーやリンス等の詰め替え容器として利用することができる。
【符号の説明】
【００２１】
１    容器本体
１ａ  胴部
１ｂ  上部開口部
１ｃ  底部
１ｄ  栓部
１ｅ  胴部内周面
２    蓋体
３    排出用ポンプ機構
３ａ  弁室
３ｂ  昇降パイプ
３ｃ  排出部
４    チューブ
４ａ  チューブ外周面
５    可動体
５ａ  上面
５ｂ  下面
５ｃ  外周面
５ｄ  内周面
５ｅ  把手
６    ロート型内底部
６ａ  傾斜面
６ｂ  下端
７    装飾品
８    収集孔
９    パッキン
【手続補正２】
【補正対象書類名】特許請求の範囲
【補正対象項目名】全文
【補正方法】変更
【補正の内容】
【特許請求の範囲】
【請求項１】
有底筒状の胴部を有し液体を収容することができる容器本体と、前記容器本体の上部開口部に着脱自在に取り付けられた蓋体と、前記蓋体に取り付けられた外部の流動性物質を内部に導入せずに、内部の流動性物質を外部に排出できる排出用ポンプ機構と、前記排出用ポンプ機構に接続された前記容器本体の底部中央部に臨ませるチューブとを備えたポンプ式の液体排出容器であり、前記容器本体の底部の内側には、下方中央に傾斜した傾斜面を有し、前記チューブの排出口と臨ませる前記底部中央部に円柱型の収集孔を有した着脱自在なロート型内底部を備え、前記胴部内周面と前記チューブ外周面の横断面形状は鉛直方向において一定であり、収容されている前記液体より上部に位置する前記胴部内周面と前記チューブ外周面に接し、気密状態を維持しつつ前記液体の残量に合わせて鉛直方向に下降し得る、取り外し可能な可動体を備え、前記可動体より上部の前記容器本体には大気と通じている通気口を有した構造のポンプ式の液体排出容器。
【請求項２】
前記可動体の下面を、前記ロート型内底部の傾斜角に同じく下方中央に傾斜させた請求項１に記載のポンプ式の液体排出容器。